(57)【要約】  防犯装置は、商品陳列棒上に、棒からの数個の商品の取外しを防止するために搭載され、小売店の防犯ゲートを違法に通されるとゲートの警報機を鳴らす警報機作動装置を含んでいる。１対のハウジング部材が摺動可能に接合されており、ロック位置とロック解除位置との間で動く。部材の各々は部分溝を有して形成されており、それらは、ロック位置にある場合に互いに整列して棒の周りで延在する。磁気吸引可能なロック部材が部材のうちの一方の内部に搭載され、他方の部材に形成されたロック突起に係合して、部材を棒上で閉鎖されたロック位置に固定する。磁気鍵は、ロック部材をロック解除位置へと動かして、部材同士がロック解除された開放位置へと離されるようにする。棒の遠端は、部材同士がロック位置にある場合に防犯装置を摺動させて棒から取外すことを防止するのに十分な角度で曲がっており、しかも、ロック機構の前方に位置する保護されていない数個の商品が棒から取外されることを可能にする。
2009509240.tif 000002
【特許請求の範囲】
【請求項１】
商品陳列部から外側に延在する棒に取付けるための防犯装置であって、前記棒は、棒の細長い部分に対してある角度で曲がった自由端を有し、前記ロック機構は、
ロック位置とロック解除位置との間で動くために摺動可能に接合された第１および第２の部材を含み、前記部材のうちの少なくとも１つはアーチ型の溝を有して形成され、それは、前記棒の細長い部分上に防犯装置を固定するために、棒の細長い部分と実質的に相補形であり、かつ棒の細長い部分を通過させて受けるようになっており、前記曲がった自由端は、ロック位置にある場合に棒からの防犯装置の取外しを防止し、前記ロック機構はさらに、
第１および第２の部材を棒の周りでロック位置にロックするためのロック機構と、
遠隔警報機の近傍に持ち込まれた場合に前記警報機を作動させるための警報機作動装置とを含む、防犯装置。
【請求項２】
第１および第２の部材の各々は、アーチ型の溝を形成する概して半円形の溝を有して形成され、前記半円形の溝は、防犯装置がロック位置にある場合に互いに整列して、棒の細長い部分を通過させて受けるための概して円形の開口部を形成する、請求項１に記載の防犯装置。
【請求項３】
第１および第２の部材は細長く、半円形の溝は前記部材に、概してその上端に隣接して形成され、それにより、前記防犯装置は、細長い部材の大半が棒の下方に延在する状態で棒に吊るされる、請求項２に記載の防犯装置。
【請求項４】
第１の部材は、内部ロック区画を有する概して矩形形状のハウジングであり、第２の部材は、上部閉鎖部と、前記上部閉鎖部から延在する細長いロック脚部とを含み、前記ロック脚部は、前記第１の部材のロック区画に位置している、請求項１に記載の防犯装置。
【請求項５】
ロック機構は、第１の部材のロック区画に搭載された磁気吸引可能なロック部材を含み、第２の部材のロック脚部とのロック係合に向けて付勢される、請求項４に記載の防犯装置。
【請求項６】
ロック部材は金属片で、金属片はそこから外側に延在する少なくとも１つの叉を有しており、ロック脚部は、ロック位置にある場合に部材がロック解除位置へと動くのを防止するために叉の端と係合可能な突起を有して形成されている、請求項５に記載の防犯装置。
【請求項７】
ロックする金属片は、前記片から一体的に形成されてそこから外側に突出している１対の金属叉を有する単一部材であり、第２の部材のロック脚部は、ロックする叉のそれぞれと各々係合可能である１対の突起を有して形成される、請求項６に記載の防犯装置。
【請求項８】
第１の部材のハウジングは開放された上部を有し、第２の部材の上部閉鎖部は第１の部材の開放された上部と相補形であり、ロック位置にある場合、前記開放された上部を封鎖する、請求項４に記載の防犯装置。
【請求項９】
第２の部材の上部閉鎖部は、第１の部材のハウジングと第２の部材の前記上部閉鎖部との間に開口部を形成し、それは、ロック解除位置にある場合、アーチ型の溝と接続して、棒の細長い部分が前記開口部を通ることを可能にする、請求項８に記載の防犯装置。
【請求項１０】
ロック区画は、段違い部を有する壁を含み、ロック脚部は、第１および第２の部材がロック解除位置にある場合、第２の部材を第１の部材内に保持するために、壁の前記段違い部に係合する、請求項４に記載の防犯装置。
【請求項１１】
支持体から外側に延在する陳列棒上に商品を陳列する方法であって、前記方法は、
曲がった端で終わる細長い部分を陳列棒に設けるステップと、
ロック位置とロック解除位置との間で動くことができる１対の接合可能な部材を有する防犯装置を設けるステップとを含み、前記曲がった端は、防犯装置が棒上でロック位置にある場合に棒からの防犯装置の取外しを防止し、前記方法はさらに、
棒の細長い部分に複数の商品を吊るすステップと、
棒の細長い部分に防犯装置を配置し、それを閉鎖されたロック位置へと動かすステップとを含み、それにより、商品のうちの少なくとも１個がロック機構と曲がった端との間にあり、防犯装置からの干渉なしで前記少なくとも１個の品物が曲がった端を越えて取外されることを可能にし、また、それにより、複数の品物が、棒からのそれらの取外しを防止するよう、防犯装置と支持体との間に位置し、前記方法はさらに、
防犯装置が遠隔警報機の近傍に持ち込まれた場合に前記警報機を作動させるための警報機作動装置を、防犯装置に設けるステップを含む、方法。
【請求項１２】
防犯装置のロックを解除し、それを棒の細長い部分上の、以前ロック機構と支持体との間に位置していた複数の品物の間に再度位置付け、それにより、少なくとも１個の他の商品を、ロック機構からの干渉なしでその後棒から取外すために、ロック機構と曲がった端との間に提供するステップを含む、請求項１１に記載の方法。
【請求項１３】
磁気吸引可能なロック機構を防犯装置に設けるステップと、部材のうちの少なくとも１つに磁石を配置するステップと、前記１つの部材内に位置するロック機構をロック解除位置へと動かすステップとを含む、請求項１１に記載の方法。
【請求項１４】
ロック機構をロック解除位置へと動かすステップの後で、１対の部材を開放された位置へと摺動可能に動かすステップを含む、請求項１３に記載の方法。
【請求項１５】
防犯装置と、商品陳列部から外側に延在する棒との組合せであって、前記棒は遠端で終わる細長い部分を有し、前記防犯装置は棒の細長い部分上に搭載されており、
前記防犯装置は、ロック位置とロック解除位置との間で動くために摺動可能に接合された第１および第２の部材を含み、前記部材の各々は部分溝を有して形成され、それらは、前記棒の細長い部分上に防犯装置を固定するために、ロック位置にある場合に互いに整列して、棒の細長い部分が通過して延在する開口部を形成し、棒の前記遠端は、ロック位置にある場合に棒からのロック機構の取外しを防止する不規則な形状を有しており、前記防犯装置はさらに、部材のうちの１つの中空内部内に搭載され、部材を棒の周りでロック位置にロックするための磁気吸引可能なロック部材と、部材のうちの１つの内部に位置し、遠隔警報機の近傍に持ち込まれた場合に前記警報機を作動させるための警報機作動装置とを含む、組合せ。
【請求項１６】
第１の部材は、内部ロック室を形成する中空内部を有し、第２の部材は、ロック室内で摺動可能に受けられる細長いロック脚部を有し、部分溝は各々半円構成を有し、それらは、部材がロック位置にある場合に棒の細長い部分を内部で捉えるための概して円形の開口部を形成し、それにより前記ロック機構は棒に吊るされ、警報機作動部材は、第１の部材の中空内部内に含まれるＲＦコイルである、請求項１５に記載の組合せ。
【請求項１７】
ロック部材は、第２の部材上に形成されたロック突起にロック係合する、第１の部材に搭載された少なくとも１つのばね付勢された叉を含む、請求項１５に記載の組合せ。
【請求項１８】
第２の部材は、ロック室内で摺動可能に受けられる細長いロック脚部を有し、前記脚部には、ロック解除位置にある場合に第１の部材内からの第２の部材の取外しを防止するよ
う第１の部材と係合可能な止め具が形成されている、請求項１５に記載の組合せ。
【請求項１９】
第１の部材は、ロック室を形成する中空内部を有し、第２の部材は、ロック室内で摺動可能に受けられる細長い脚部を有し、前記脚部は、少なくとも１つのロック突起を有して形成されており、ロック部材は、ロック室内に搭載され、ロック位置にある場合にロック脚部に沿って延在する金属片であり、前記金属片は、ロック位置にある場合にロック突起に係合するようになっているばね付勢された叉を有する、請求項１５に記載の組合せ。
【請求項２０】
ロック部材をロック解除位置へと動かすための鍵を含み、前記鍵は、前記ロック部材をロック解除位置へと動かすための少なくとも１つの磁石を含んでいる、請求項１５に記載の組合せ。
【発明の詳細な説明】
【技術分野】
【０００１】
発明の背景
１．技術分野
この発明は防犯装置に関し、特に、多数の商品が陳列棚から、特に陳列棒からすばやく取外されるのを防止する防犯装置に関する。具体的には、この発明は、陳列棒に容易に取付けられてロックされ、１個または数個の商品がどの時点においても棚から取外されるようにするものの、多数の品物を万引き犯によって棚から取外されないよう保護し、警報機作動装置を含む防犯装置に関する。
【背景技術】
【０００２】
２．背景情報
多数の商品が、１枚のペグボード、スラットボード、または他の種類の支持構造から支持された長い突出棒に、販売用に陳列される。これらの棒は、当該技術分野において一般にペグボード棒またはスラットボード棒と呼ばれる。電池、小型工具、工具部品、フィルム、または他の比較的高価な小型の品物といった多くの商品が、顧客がそれらを手に取ってレジカウンタに直接持っていく区域に陳列される。これらの品物は通常、包装における単一の穴を棒が通過することによって、棒に吊るされる。残念ながら、そのような商品は万引き犯らにとってたやすい標的であり、万引き犯らがペグボード陳列棒から商品をすべてすばやく取り去り、探知されることなく商品を持ち去ることができること、または検査用警備ゲートを通過した時に探知されたとしても、捕まえるのは困難であることがわかっている。
【０００３】
これらの陳列棒からの商品の取外しを防止するために、米国特許第５，０２７，６２２号、第５，２７５，０２７号、第５，２５９，２２０号、第５，６８９，９７８号、第５，６７６，２５８号、第６，６２２，９７９号、および第６，４７４，７４８号に示すようなさまざまな装置が考案されている。これらの特許の装置は、棒からの任意の商品の取外しを防止する、ロッドの端上のある種のロック機構を提供している。これは、顧客が購入のために商品を取外せるようにするのに、棒の端からロック機構のロックを解除しなければならない店員に連絡を取ることを顧客に要求するという点で、欠点を有する。多くの顧客は、所望の品物を得るために防犯装置を解除する店員を見つけるのに時間を割いたり待ったりしたくはないため、これは売上高を減少させるということがわかっている。
【０００４】
他の種類の陳列棒は、顧客が品物を棒の遠端のさまざまな湾曲部に沿った回り道を通るように動かすことによって品物を棒から取外せるようにする、棒上の不規則形状の端を使用している。これは、万引き犯が収納棚から多数の品物をすばやく取外す困難性を高めるという点で、ある程度満足できるものであることがわかっている。しかしながら、万引き犯が品物を棒から一掃する際に多大な力を用いるか、または品物を一緒に束ねて、多数の品物が一度の動作で棒から取外されることを可能にした場合、それは万引き犯がすべての商品を棒から取外すことを防止しない。
【０００５】
そのような陳列棒の別の問題は、万引き犯が取付構造から棒全体とそれに搭載された商品とを取外し、それを小売店から違法に持出すことが可能な場合があるということである。この種の万引きを防止するために、陳列棒をその支持構造にロックするさまざまな装置が開発されている。しかしながら、そのような保護装置は常に功を奏するとは限らず、それらは商店主が商売をするコストを増大させる。
【０００６】
このため、多数の商品を棒からすばやく取外すことができず、しかも、正規の顧客が商
店主または店員の手助けを必要とせずに限られた数の品物を棒から取外すことができるような、陳列棒用の防犯装置を提供することが、当該技術分野において望まれている。さらに、この装置は、違法に防犯ゲートを通されると、防犯ゲートで警報機を作動させる。
【発明の開示】
【課題を解決するための手段】
【０００７】
発明の概要
この発明は、ラックから外側に延在する陳列棒からの陳列された多数の商品のすばやい取外しを、棒に収納された多数の品物の間に位置するある線形長の陳列棒上に単純で小型ながら非常に効果的なロック装置を配置することによって防止する、陳列棚用の防犯装置を提供する。これは、防犯装置と陳列棒の遠端との間に位置する品物が顧客によって取外されることを可能にし、しかも、店員が防犯装置のロックを解除し、それを既に収納されている多数の品物の後ろに再度位置付けるか、または顧客によるその後の取外しのために新しい品物を防犯装置と棒の遠端との間に配置するまで、陳列棚とロック装置との間に位置する品物の取外しを防止する。
【０００８】
この発明の別の局面は、陳列棒防犯装置を、１対の部材が摺動可能に接合される単純な２個構成として形成することであり、その各々には半円形の溝が形成され、溝は、閉鎖されたロック位置にある場合に陳列棒が通過して延在する円形の開口部を形成し、陳列棒の曲がった端からそれが取外されないようにするのに十分な線形長または構成を有する。
【０００９】
この発明の別の局面は、防犯装置の１対の部材が閉鎖された位置へと動かされた場合に、部材の一方に形成されたロック突起とロック係合するよう自動的にスナップ嵌合するばね付勢されたロック部材を、部材の他方に提供することである。
【００１０】
この発明の別の特徴は、磁気吸引可能な材料でできたロック部材を形成することであり、それにより、磁気鍵は、防犯装置上のある特定の場所に配置されると、ロック部材をロック解除位置へと動かして、防犯装置が、棚からの装置の取外しおよびその後の棚への再取付けのために開放位置へと容易に動かされることを可能にする。
【００１１】
この発明のさらに別の局面は、硬質プラスチック材料でできた２つの部材を形成することであり、それは泥棒が２つの部材を容易にばらばらにしないようにするのに十分強く、最小数の部品で構成可能であり、それにより、防犯装置が比較的安価で大量生産されることを可能にし、万引きを減らすための商店主らによるそれらの使用を促進する。
【００１２】
この発明のさらに別の特徴は、陳列棒全体およびそれに収納された中身の窃盗を防止するために、防犯装置が防犯ゲートを通過した際に警報機を鳴らす警報機作動装置を防犯装置に配置することである。
【００１３】
これらの特徴および利点は、商品陳列部から外側に延在する棒に取付けられるようになっているこの発明の防犯装置によって得られ、棒は、棒の細長い部分に対してある角度で曲がった自由端を有し、防犯装置は、ロック位置とロック解除位置との間で動くために摺動可能に接合された第１および第２の部材を含み、前記部材のうちの少なくとも１つはアーチ型の溝を有して形成され、それは、棒の細長い部分上に防犯装置を固定するために、棒の細長い部分と実質的に相補形であり、かつ棒の細長い部分を内部で受けるようになっており、曲がった自由端は、ロック位置にある場合に棒からの防犯装置の取外しを防止し、防犯装置はさらに、第１および第２の部材を棒の周りでロック位置にロックするための磁気吸引可能なロック部材を含む。
【００１４】
出願人が原理の適用を意図する最良の形態に示す、この発明の好ましい一実施例を、以
下の説明で述べ、図面に示し、添付された特許請求の範囲において特定的にかつ明瞭に指摘し、述べる。
【００１５】
図面全体を通し、同様の番号は同様の部分を指す。
【発明を実施するための最良の形態】
【００１６】
発明の詳細な説明
この発明の防犯装置は概して１で示され、図１では、支持体表面５から片持ち梁状に外側に延在し、取付機構７によってそれに取付けられた商品陳列棒３上に搭載されて示されている。取付具７は、支持体５に取付けられると大した操作をしなくてもそこからの棒の取外しを防止するか、または、９で示す吊るされたさまざまな商品のすべてを含む棒３を万引き犯がすっかり取外すことを防止するために警報機を鳴らすさまざまな構成のものであってもよい。しかしながら、この発明の特徴のうちの１つによれば、内部警報機作動装置を有する防犯装置１の使用は、より高価な種類の取付具７の必要性をなくすかまたは低減させることができ、棒を支持体５に取付ける単純なフック付きの端または他の構成のものであり得る。
【００１７】
棒３は好ましくは、湾曲した遠端１３で終わる概して真っ直ぐな細長い線形部１１を有する硬質の丸い金属部材である。商品９は、ブリスター包装１５か、または或る商品を収納する他の種類の容器であり得る。包装は、棒３が通過して延在する穴１９が形成された平坦なカード状部分１７によって棒３から吊るされる。商品９の特定の構成は相当異なる場合があるが、通常、棒３が通過して延在するある種の溝付き開口部または丸い開口部がその上端に形成されており、それにより商品は、その自由な遠端１３からの取外しのために矢印Ａの方向に摺動されるようになる。
【００１８】
防犯装置１は特に図３〜７に示されており、概して２０で示される、組立てられた位置にある場合は摺動可能に接合される２つの部材２１および２３によって形成されたロックハウジングを含んでいる。ハウジング部材２１（図３および図４）は、防犯装置１の主ハウジングまたは本体を形成している。部材２１は好ましくは矩形形状を有しており、概して矩形形状の上部開口部２６を通してアクセスが得られる中空内部２５を有して形成される。対向する側壁２９および３０の各々に、細長い溝２８が形成され、半円形状の下部３１で終わっている。ハウジング部材２１の側壁２９および端壁３６には複数の位置付けタブ３２が形成されており、それらの機能は以下に説明される。ハウジング部材２１は好ましくは硬質のプラスチック材料で形成されており、ある特定の小売店主の要望に依存して、さまざまな色で形成可能であり、その上に印刷表示を有することができる。
【００１９】
ハウジング２０の他方の主な構成要素は、ロック部材２３である。部材２３（図５および図６）は、好ましくは硬質プラスチック材料で形成された一体型部材であり、概して矩形形状の上部閉鎖部３９とそこから外側に延在するロック脚部４１とを有する。概して半円形の細長いアーチ型の溝４３が、上部閉鎖部３９の裏面に形成され、ハウジング２１の溝３１と整列して、２つのハウジング部材２１および２３が特に図７に示すような係合した位置にある場合に、棒３の線形部１１を受けて捉えるための円形の開口部４４を形成する。２つのハウジング部材が閉鎖されたロック位置にある場合にタブ３２を受けるために、複数の切欠け３７が上部閉鎖部３９に形成されている。棒を受ける開口部４４の直径は異なっていてもよく、図に示すように棒部分１１の外径とぴったり一致する必要はなく、好ましくは棒との密接なクランプ係合を提供しない。好ましくは、開口部４４は、さまざまなサイズの棒直径に対処し、防犯装置が線形棒部分１１に沿って摺動できるようにするために、棒の直径よりも若干大きいものの、棒３からのそれの取外しを防止するために、曲がった棒の端１３の周りでそれが動かされないようにするくらい小さいものである。ロック部材２３がロックハウジング２１の中空内部２５内に摺動可能に挿入される際に、図
７に示すように内部２５内にぴったりフィットするように、装置１のロック構成要素を提供するハウジング部材２３の厚さは、図６に示すように、ハウジング内部２５の内部厚さと相補形であり、その幅についても図５に示すように同様である。
【００２０】
特に図７に示すようなこの発明の特徴のうちの１つによれば、ハウジング内部２５の一部内に形成された警報機区画４６内に、警報機作動装置４５が固定される。区画４６は、ハウジング端壁３６のうちの１つと仕切り壁４７とによって形成される。警報機作動装置４５は、図に示すような無線周波数（ＲＦ）コイルであってもよく、または、ＥＡＳタグもしくはさまざまな他の警報機作動手段といった磁気感受性（ＡＭ）タイプの装置であってもよく、それらはすべて防犯業界において周知である。この装置は、小売店の出口などの警備されたゲートに位置する電子回路によって感知され、防犯装置１が警備されたゲートに近づくかまたはそれを通過するとゲート警報機を作動させ、棒３および取付けられた商品９の不正な移動が起こっていることを示す。
【００２１】
図７および図１０に示すように、ロック脚部４１は、ハウジング部材２１の長さとほぼ等しい長さを有しており、脚部４１の側面４９（図６）に沿って延在して１対の肩部または突起４８で終わっている１対の間隔の空いたロック切欠け５１を有して形成されている。１対のロック叉５２の端縁５０は突起４８に係合して、棒３上でハウジング部材同士をロック位置に固定する。叉５２は、防犯装置１のロック機構の不可欠な部分を形成する単一の金属片５４（図７Ａ）に切り開かれている。片５４は、その端５５がハウジング端壁３６の内面に形成された切欠け５７に受けられることにより、ハウジング内部２５に保持されている。別の突起５３が脚部４１の遠端に形成され、ロック部材２３が図１１に示すようなロック解除位置へと動かされた場合に、警報機区画４６の仕切り壁４７に形成された段付き肩部５８に係合する。これは、ハウジング部材２１および２３をそれらが組立てられた状態に保持し、これら２つの部材の分離を防止する。
【００２２】
図１１に示すように防犯装置１が十分に開放されたロック解除位置にある場合、それは、開放されたロック解除位置にある場合に部材２１と２３との間に形成される開口部５６を通して、棒３から容易に取外され、または棒３上に配置され得る。棒３の線形部１１への装置１の配置後、棒３は好ましくはハウジング部材２３の溝４３に置かれ、ハウジング部材２１は矢印Ｃの方向に上向きに、図７に示すようなロック位置へと動かされる。これにより、ばね付勢された叉５２が、ロック脚部４１のロック肩部４８と自動的にロック係合するようになる。この位置では、上部閉鎖部３９の切欠け３７がその中にタブ３２を受けて、上部閉鎖部材３９の下部がハウジング部材２１の上部開口部２６内にしっかり収まるようになる。図７に示すように、これは防犯装置１を陳列棒３上に堅固にロックし、ハウジング２０の内部に堅固に位置付けられた警報機作動装置４５を保持して、それへの不正なアクセスを防止する。
【００２３】
装置１を開放してロック解除するために、概して６０で示される磁気鍵が、鍵６０上に形成された１対の位置決めタブ６２を位置付け窪み３３（図９）に配置することにより、叉５２と適正に整列される。この位置にある場合、１対の内部磁石６４がロック叉５２と整列し、それらを図７のロック位置から図１０のロック解除位置へと動かし、その後、ロックハウジング２１は矢印Ｄ（図１１）の方向に、開口部５６を露出するロック解除位置へと容易に動かされ、装置１が棒３から取外されるようにする。
【００２４】
図１に示すようなこの発明の別の特徴によれば、装置１は、１個以上の商品がロック機構１と遠端１３との間にあって、商品が店員の手助けなく顧客によって棒３から容易に取外されることを可能にするように、ロッド３の細長い線形部１１上で多数の商品９の間に配置される。しかしながら、商品９の多くは、顧客によるそれらの取外しを防止するよう、棒取付具７と装置１との間にある。このため、商店主は通常、多数の商品９を、支持体
５とロック機構１との間の安全なロック位置に有し、商品９のうちの１個以上を、顧客がそれを遠端１３から容易に取外せるように棒３の警備されていない部分に置く。これは、顧客がレジステーションでのその後の購入のために品物のうちの１個または数個を陳列棚から取ることを可能にするものの、万引き犯が多すぎる数の品物を棒３から一掃する動作によって盗むことを防止する。これは起こり得る損失を、陳列された仕入れ品全体ではなく、陳列された品物のうちの１個または数個のみに限定する。
【００２５】
商店主は、棒１上で警備されていない利用可能な商品９の個数が現在の顧客の要望を満たすのに十分ではないのを見ると、磁気鍵６０の使用によって装置１のロックを容易に解除し、次に装置１を以前に警備されていた残りの商品９の間の別の場所に動かし、それにより、もう数個の商品を警備されていない態様で顧客が入手できるようにする。また、装置１は、棒全体に商品９を補充できるよう容易に取外し可能であり、その後、それは複数の商品の間のどこかに再度適用され、１個または数個のみが保護されなくなるようにし、顧客がレジカウンタでの購入のために品物のうちの１個または数個を取外せるようにする。
【００２６】
図１に示すように、装置１は十分に大きい厚さおよび他の構成を有しており、それは、装置が棒３の曲がった端から取外されることを防止する。このため、万引き犯は、たとえ装置１を棒３の遠端に向けて摺動できたとしても、装置が棒上に密接にクランプされることを必要とせずに装置を棒から取外すことを防止するために棒上に形成された１つ以上の湾曲部または突起の周りで装置を動かすことができない。湾曲部または突起が、棒に沿って装置を摺動させて端１３から外すことによる棒３からの装置１の取外しを防止するのに十分である限り、棒３の端は、この発明の概念から逸脱することなく、図１に示すものとは他の種類の湾曲部か、またはそこからの突起を有し得る。同様に、商店主は、装置１のロックを解除して装置１を動かした後で、２つの部材２１および２３をともに動かすだけで、叉５２が自動的に、ロック脚部４１上に形成されたロック突起４８とロック係合するようスナップ嵌合し、ロック機構の操作をほとんど必要としない。同様に、装置１は、それが摺動されて棒の端から外されないようにするのに十分な長さまたは直径を有する限り、棒を密接に把持することを必要とはしないため、さまざまな直径の棒に使用可能である。
【００２７】
このため、防犯装置１は、陳列棒３に容易に取付けられ、その上での商品９の陳列を容易にし、多数の品物が棒から違法に取外されることを防止する一方、顧客が購入のために商品のうちの１個または数個に自由にアクセスすることを可能にする。装置１は、警報機作動装置４５を取入れているため、万引きを防ぐために図に示すようなより高価な取付機構７を有する必要がなく、保護された小売店からの棒全体の取外しを防ぐので、より安価な取付構成が利用されることを可能にする。支持構造５上に棒３を搭載するために使用される取付機構の種類に依存して、それは７０（図１）で示すようなある種の曲がった端を有し、それは棒３からの装置１の摺動移動を防止する。このため、棒が支持構造５から取外された場合でも、防犯装置１は棒３上に残り、泥棒が品物９の中身全体が付いた棒３の取外しを試みた場合、警報機装置４５が防犯ゲート警報機を作動させる。
【００２８】
また、ハウジング２０は、２つの主な構成要素２１および２３のみで構成され、それらのためのロック機構を提供するために内部に保持された金属片５４を有する硬質プラスチック材料で容易にかつ経済的に形成される。同様に、装置１が一旦組立てられると、脚部の突起５３と段違い壁部５８（図１１）とは、ハウジング構成要素２１および２３を、組立てられた、摺動可能に接合された関係に保つ。
【００２９】
前述の説明では、簡潔性、明瞭性、および理解のために、或る用語が使用されてきた。不必要な限定が先行技術の要件を越えてそれらから示されることはない。なぜなら、その
ような用語は説明のために使用されており、幅広く解釈されるよう意図されているためである。
【００３０】
さらに、この発明の説明および例示は一例であり、この発明は、図示された、または説明された詳細そのものに限定されない。
【図面の簡単な説明】
【００３１】
【図１】支持構造から外側に延在する陳列棒の細長い線形部に搭載されたこの発明の防犯装置の側面立面図である。
【図２】図１の線２−２で取った断面図である。
【図３】防犯装置の主ハウジング部材の側面立面図である。
【図４】図３のハウジングの端面立面図である。
【図５】図３および図４の主ハウジング部材から取外された防犯装置のロック部材の立面図である。
【図６】図５のロック部材の端面立面図である。
【図７】陳列棒上でロックされた位置にある防犯装置を示す、図１の線７−７で取った拡大断面図である。
【図７Ａ】防犯装置の磁気吸引可能なロック部材の斜視図である。
【図８】防犯装置と係合されて装置のロックを解除するための磁気鍵を示す、図１に類似した部分側面立面図である。
【図９】図８の線９−９で取った断面図である。
【図１０】磁気鍵によってロック解除位置へと動かされたロック叉を示す、図７に類似した断面図である。
【図１１】開放されたロック解除位置にある防犯装置を示す断面図である。
【図１】
2009509240.tif 000003
【図２】
2009509240.tif 000004
【図３】
2009509240.tif 000005
【図４】
2009509240.tif 000006
【図５】
2009509240.tif 000007
【図６】
2009509240.tif 000008
【図７】
2009509240.tif 000009
【図７Ａ】
2009509240.tif 000010
【図８】
2009509240.tif 000011
【図９】
2009509240.tif 000012
【図１０】
2009509240.tif 000013
【図１１】
2009509240.tif 000014
【国際調査報告】
2009509240.tif 000015